(57)【特許請求の範囲】
【請求項１】
支柱に片持ち梁状に支持させた上下一対の、断面円形の支持腕に縦型信号灯器を支持させる装置であって、上下方向に沿う両側に側部片を相対設した中央部片の表面に上下一対の半円状の凹入部を並設して取付け枠を構成し、該取付け枠の中央部片と、上下一対の半円状の凹入部を並設した挟持体を、支持腕の対応する前記各凹入部に部分的に係合させた、前記一対の支持腕を介して、しかも、該支持腕を通じた止着ボルトと締付けボルトで互いに締付けて、前記取付け枠を前記支持腕に取付けると共に、取付け枠の前記側部片の下部に透孔を、上部に該透孔を中心とする円周上に沿う長孔をそれぞれ設け、これら透孔と長孔に、それぞれナットを螺合して締付けるボルトを貫通させて前記側部片間に係合した角筒状の支持筒を取付け、該支持筒の上下両端部に回動自在に取付けた支承片間に信号灯器を介在させて取付けた、縦型信号灯器の支持装置。
【発明の詳細な説明】
【技術分野】
【０００１】
本発明は、縦方向に並ぶ複数個の色灯を備えた信号灯器の支持装置に関するものである。
【背景技術】
【０００２】
寒冷地などにおいて用いられる信号灯器は、積雪を少なくするために、色灯を縦方向に並べた、所謂縦型信号灯器が用いられているが、該信号灯器を街路に設置するには、支柱に片持ち梁状に支持させた支持腕に、断面コ形の支持基枠を、ボルトとナットを用いて締付け、該支持基枠の側部片間に係合して角度調節自在に組付けた支持杆に、信号灯器を上下両端に取付けた支承片を介して組付けた構造のものがある（例えば、特許文献１）。
【先行技術文献】
【特許文献】
【０００３】
【特許文献１】特許第４２３３５１９号公報
【発明の概要】
【発明が解決しようとする課題】
【０００４】
前記従来例は、これまで支柱に直付けしていた構造のものと較べ、樹木などの障害物の存在を吸収して適用できる利便性を備えたものであるが、円筒状の支持筒にボルトとナットで締付けた支持基枠に信号灯器等の荷重が負荷する構造になっているので、前記ボルトとナットによる締付けが、風圧等による経時変化や締付けの誤作業等によって緩くなると、該支持基枠が支持筒の断面円形に沿って回ってしまい、当初の設置状態を維持できなくなり、その結果、色灯の射光方向が変り、交通に支障を来たすおそれがある。
【０００５】
本発明は、このような従来例に鑑みて創案したもので、当初の設置状態を確実に維持し、経時変化の少ない堅牢な支持装置を提供することを目的とする。
【課題を解決するための手段】
【０００６】
支柱に片持ち梁状に支持させた上下一対の、断面円形の支持腕に縦型信号灯器を支持させる装置であって、上下方向に沿う両側に側部片を相対設した中央部片の表面に上下一対の半円状の凹入部を並設して取付け枠を構成し、該取付け枠の中央部片と、上下一対の半円状の凹入部を並設した挟持体を、支持腕の対応する前記各凹入部に部分的に係合させた、前記一対の支持腕を介して、しかも、該支持腕を通じた止着ボルトと締付けボルトで互いに締付けて、前記取付け枠を前記支持腕に取付けると共に、取付け枠の前記側部片の下部に透孔を、上部に該透孔を中心とする円周上に沿う長孔をそれぞれ設け、これら透孔と長孔に、それぞれナットを螺合して締付けるボルトを貫通させて前記側部片間に係合した角筒状の支持筒を取付け、該支持筒の上下両端部に回動自在に取付けた支承片間に信号灯器を介在させて取付けた構成としたものである。
【発明の効果】
【０００７】
本発明によれば、縦型信号灯器を組付けた取付け基枠は、上、下一対の、断面円形支持腕を挟持した状態で該支持腕に取付けた構成を採るから、支持腕を確実に挟持し、信号灯器等の荷重の負荷に影響されず、当初の状態を確実に維持した、経時変化のない縦型信号灯器の支持装置を得ることができる。
【図面の簡単な説明】
【０００８】
【図１】第一実施形態の正面図。
【図２】図１の平面図。
【図３】図２のｘ−ｘ線拡大断面図。
【図４】図３の平面図。
【図５】図３の一部拡大図。
【図６】図３で示す第一実施形態に対応させて示した第二実施形態の断面図。
【図７】図６の平面図。
【図８】図６の一部拡大図。
【図９】取付け枠の正面図。
【図１０】図９の平面図。
【図１１】図９の底面図。
【図１２】図９の左側面図。
【発明を実施するための形態】
【０００９】
本発明に係る縦型信号灯器の支持装置は、図１、図２で示すように、歩道上に立設した支柱Ｐに鋼製のバンド体ｂを用いて上、下の支持腕Ｓ，Ｓａを片持ち梁状に支持させ、車道上に配した該支持腕Ｓ，Ｓａの先端部に、第一実施形態にあっては一対の縦型信号灯器Ｌ，Ｌを、第二実施形態にあっては単一な該縦型信号灯器Ｌを組付け、支持させたものである。
【００１０】
各実施例の信号灯器Ｌは、取付け枠１と、支持筒２および支承片３を互いに組付けて成る枠組体Ａを介して前記の支持腕Ｓ，Ｓａに支持され、第一実施例の場合は、一対の枠組体Ａ，Ａを用いて、一対の信号灯器Ｌ，Ｌを支持させ、第二実施例の場合は、枠組体Ａと挟持片４を用いて単一な信号灯器Ｌを支持させるようにしたものである。
【００１１】
枠組体Ａを構成する取付け枠１は、中央部片１ａと、該中央部片１ａの長手（縦）方向に沿う両端に一対の側部片１ｂ，１ｂを相対設した溝形体で構成し、屈曲して凹凸形状とした中央部片１ａの表面に上、下一対の凹入部６，６´を設け、該凹入部６，６´の中央部に止着ボルト７用の透孔８を、また、該凹入部６，６´を介在して位置する前記中央部片１ａの表面平坦部に締付けボルト７Ａ用の透孔８Ａをそれぞれ設けると共に、前記支持筒２を係合するに充分な間隙を存して相対設した前記側部片１ｂ，１ｂの自由端側の長手（上下）方向の両側に、各側部片１ｂ，１ｂ間において互いに一致する軸ボルト７Ｂ用の透孔８Ｂ，８Ｂと調節ボルト７Ｃ、挿通用の長孔８Ｃ，８Ｃを設けたものである（殊に、図５、図８）。
【００１２】
前記支持筒２は、方形筒体で成り、中間部に取付け枠１の前記側部片１ｂ，１ｂに設けた透孔８Ｂと、長孔８Ｃに一致するように上下の組付け孔８Ｄ，８Ｄ´を設け、上下両端部には、接続ボルト７Ｆ用の通し孔８Ｅを設けたものである。
【００１３】
また、前記支承片３は、自由端側に前記信号灯器Ｌの組付けボルト７Ｄを挿通する透孔８Ｆと方位角調節ボルト７Ｅを挿通する長孔８Ｇをそれぞれ設けた支承部片３ａの後端側の両側に、側部片３ｂ，３ｂを相対設して構成し、側部片３ｂに前記通し孔８Ｅを一致させて、前記接続ボルト７Ｆを挿通させる透孔８Ｈを設けたものである。
【第一実施形態】
【００１４】
図１乃至図５で示す第一実施形態は、一対の枠組体Ａ，Ａを支持腕Ｓ，Ｓａに互いに反対方向に突設し、各枠組体Ａに信号灯器Ｌを取付け支持させたものである。
【００１５】
一対の枠組体Ａ，Ａを支持腕Ｓ，Ｓａに互いに反対方向に突設するには、凹入部６，６´に支持腕Ｓ，Ｓａを係合するようにして一対の取付け枠１，１を配置し、取付け枠１，１に設けた透孔８に支持腕Ｓ，Ｓａに設けた通し孔８Ｊを通じた止着ボルト７を通し、該ボルト７の先端に止着ナット１７を螺合する一方、取付け枠１（の中央部片１ａ）側の透孔８Ａ，８Ａ同士を通じた締付けボルト７Ａの先端に止着ナット１７Ａを螺合することにより達成される。
【００１６】
そして、両側の通し孔８Ｅと支承片３の側部片３ｂの透孔８Ｈを一致させて、これら孔８Ｅ，８Ｈに通じた接続ボルト７Ｆに、接続ナット１７Ｆを螺合して、支承片３と支持筒２を組付ける一方、支持筒２の中間部に設けた組付け孔８Ｄと８Ｄ´と、支持腕Ｓ，Ｓａに組付けた取付け枠１（の側部片１ｂ）の長孔８Ｃと透孔８Ｂとを通じた調節ボルト７Ｃまたは軸ボルト７Ｂの先端に、調節ナット１７Ｃまたはナット１７Ｂを螺合して支持筒２と取付け枠１を組付けることにより支持腕Ｓ，Ｓａに互いに反対方向に突出して組付けられた状態の枠組体Ａを得られる。
【００１７】
もっとも、枠組体Ａを構成するに際し、支持筒２と支承片３との組付けと、支持筒２と取付け枠１との組付けは相前後して行えば良い。
【００１８】
次いで、支持筒２に取付けた支承片３，３間に信号灯器Ｌを介在させ、透孔８Ｆと長孔８Ｇを利用して軸ボルト７Ｄと方位角調節ボルト７Ｅで灯器Ｌを支承片３，３に組付けることにより実施形態の信号灯器の支持装置を得られる。
【００１９】
この第一実施形態の場合は、一対の枠組体Ａ，Ａを用いて一対の信号灯器Ａ，Ａを支持させるようにしているが、一対の枠組体Ａ，Ａのいずれかの一方が「特許請求の範囲」でいう「挟持体」に対応する。
【第二実施形態】
【００２０】
図６乃至図８で示す第二実施形態は、単一な信号灯器Ｌを支持する際に適用するもので、第一実施形態の一方の枠組体Ａに代えて挟持片４を用いて単一な枠組体Ａによって信号灯器Ｌを支持するようにしたものである。
【００２１】
すなわち、第二実施形態は、前記取付け枠１の中央部片１ａとほぼ同様に構成した挟持片４を用いるのであって、挟持片４は、屈曲して凹凸形状とした長方形体で成り、表面に上下一対の凹入部１６，１６´を設け、該凹入部１６，１６´の中央部に止着ボルト７用の透孔１８を、また、前記凹入部１６，１６´が介在する表面平坦部に締付けボルト７Ａ用の透孔１８Ａを設けたものである。
【００２２】
そして、取付け枠１の凹入部６，６´と挟持片４の凹入部１６，１６´に支持腕Ｓ，Ｓａを係合するようにして取付け枠１と挟持片４を相対して配置し、取付け枠１に設けた透孔８と挟持片４側の透孔１８および支持腕Ｓ，Ｓａに設けた通し孔８Ｊを通じた止着ボルト７の先端に止着ナット１７を螺合する一方、取付け枠１（の中央部片１ａ）側の透孔８Ａと挟持片４に設けた透孔１８Ａを通じた締付けボルト７Ａの先端に、止着ナット１７Ａを螺合することにより取付け枠１を支持腕Ｓ，Ｓａに組付けることができ、この状態で、取付け枠１に支持筒２や支承片４を、第一実施形態において説明した通りに組合わせ、信号灯器Ｌを第一実施形態の場合と同様に組付けることにより、単一な信号灯器を支持した実施形態の支持装置を得られる。
【００２３】
この第二実施形態は、第一実施形態に用いた、いずれか一方の枠組体Ａに代えて挟持体として挟持片４を用いた点が第一実施形態と異なるだけ、残余の点は、第一実施形態の説明に従うことができるので省略する。
【符号の説明】
【００２４】
１            取付け枠
１ａ          中央部片
１ｂ          側部片
２            支持筒
３            支承片
６，６´      凹入部
７            止着ボルト
７Ａ          締付けボルト
７Ｂ          軸ボルト
７Ｃ          調節ボルト
８Ｂ          透孔
８Ｃ          長孔
１６，１６´  凹入部
Ｌ            縦型信号灯器
Ｓ，Ｓａ      支持腕
【図１】
0005438652.tif 000002
【図２】
0005438652.tif 000003
【図３】
0005438652.tif 000004
【図４】
0005438652.tif 000005
【図５】
0005438652.tif 000006
【図６】
0005438652.tif 000007
【図７】
0005438652.tif 000008
【図８】
0005438652.tif 000009
【図９】
0005438652.tif 000010
【図１０】
0005438652.tif 000011
【図１１】
0005438652.tif 000012
【図１２】
0005438652.tif 000013